(57)【要約】【課題】はがき部が紙一枚で形成できるとともに、利用者が意図した時機に容易に取り外せるはがき付き印刷物を提供する。【解決手段】取り外し可能なはがきを有するはがき付きチラシ１である。  そして、台紙領域２１と、台紙領域に貼り付けられるはがき部３と、はがき部の周囲の台紙領域を覆う窓枠部４と、はがき部の外縁から所定の距離以上内側に離れた箇所に形成されるはがき部と台紙領域とを接着させるはがき接着部５と、はがき部と窓枠部とを点状に繋ぐアンカット部４１Ａ−４１Ｆとを備えている。【選択図】図１
0003189818.tif 000002
【実用新案登録請求の範囲】
【請求項１】
取り外し可能なはがきを有するはがき付き印刷物であって、
台紙領域と、
前記台紙領域に貼り付けられるはがき部と、
前記はがき部の周囲の前記台紙領域を覆う窓枠部と、
前記はがき部の外縁から所定の距離以上内側に離れた箇所に形成される前記はがき部と前記台紙領域とを接着させるはがき接着部と、
前記はがき部と前記窓枠部とを点状に繋ぐアンカット部とを備えたことを特徴とするはがき付き印刷物。
【請求項２】
前記アンカット部は、前記窓枠部を前記台紙領域から離隔させた際に、前記はがき部だけが前記はがき接着部の接着力によって前記台紙領域に残置される量に設定されていることを特徴とする請求項１に記載のはがき付き印刷物。
【考案の詳細な説明】
【技術分野】
【０００１】
本考案は、広告や宣伝のために配布されるチラシ、又は雑誌や本の綴込みなどに使用されるはがき付き印刷物に関するものである。
【背景技術】
【０００２】
特許文献１，２に開示されているように、チラシや本の綴込みなどのシートの一部が、取り外し可能なはがきとなっている印刷物が知られている。例えば特許文献１には、紙片を重ねて貼り合せた二重構造のはがきがミシン目から切り離せる構成が開示されている。
【０００３】
ここで、紙片を重ねてはがきに厚みを持たせる理由の一つに、重さの制限がある。例えば第二種郵便物の通常はがきには、形状（大きさ）の制限のほかに重さを２ｇから６ｇの間に収めなければならないという制限がある。
【０００４】
これに対して薄い紙１枚ではがきを作成すると、２ｇ未満になってしまうため重ね合わせが行われてきた。一方、第一種郵便物の定形郵便物であれば、重さの下限値の制限がないため、薄い一枚の紙でもはがきを作成することができる。
【先行技術文献】
【特許文献】
【０００５】
【特許文献１】特開２００４−１３３０６５号公報
【特許文献２】特開２００６−７６０７１号公報
【考案の概要】
【考案が解決しようとする課題】
【０００６】
しかしながら台紙に剥離糊によって薄い紙を貼り付けた場合、紙が波を打ってしまいはがき部だけをきれいに切り抜く加工が難しくなる。これに対して剥離糊の量を減らすと、はがき部が外れやすくなって配達中など意図しない時機に外れてしまうおそれがある。
【０００７】
そこで、本考案は、はがき部が紙一枚で形成できるとともに、利用者が意図した時機に容易に取り外せるはがき付き印刷物を提供することを目的としている。
【課題を解決するための手段】
【０００８】
前記目的を達成するために、本考案のはがき付き印刷物は、取り外し可能なはがきを有するはがき付き印刷物であって、台紙領域と、前記台紙領域に貼り付けられるはがき部と、前記はがき部の周囲の前記台紙領域を覆う窓枠部と、前記はがき部の外縁から所定の距離以上内側に離れた箇所に形成される前記はがき部と前記台紙領域とを接着させるはがき接着部と、前記はがき部と前記窓枠部とを点状に繋ぐアンカット部とを備えたことを特徴とする。
【０００９】
ここで、前記アンカット部は、前記窓枠部を前記台紙領域から離隔させた際に、前記はがき部だけが前記はがき接着部の接着力によって前記台紙領域に残置される量に設定されているのが好ましい。
【考案の効果】
【００１０】
このように構成された本考案のはがき付き印刷物は、はがき部の外縁から所定の距離以上内側に離れた箇所にはがき部と台紙領域とを接着させるはがき接着部が形成される。また、はがき部とその周囲の窓枠部とは、点状のアンカット部によって繋がっている。
【００１１】
このため、紙一枚ではがき部を形成しても外縁付近が波打つことがなく、容易にはがき部用の切り抜きを行うことができる。また、点状のアンカット部によって繋がっていれば、意図しない時機に外れてしまうこともなく、利用者の好きなときに容易にはがき部を取り外すことができる。
【００１２】
さらに、窓枠部を台紙領域から離隔させた際に、はがき部だけがはがき接着部の接着力によって台紙領域に残置される量にアンカット部が設定されていれば、窓枠部を捲るとはがきが飛び出すような感覚を利用者に与えることができる。
【図面の簡単な説明】
【００１３】
【図１】本考案の実施の形態のはがき付き印刷物の構成を示した説明図である。
【図２】はがき付き印刷物の使用方法を説明するための説明図である。
【図３】アンカット部の変形例の構成を示した説明図である。
【考案を実施するための形態】
【００１４】
以下、本考案の実施の形態について図面を参照して説明する。図１は、本実施の形態のはがき付き印刷物としてのはがき付きチラシ１の製作途中の状態を示した展開図である。また、図２は、完成したはがき付きチラシ１の使用方法を説明するための図である。
【００１５】
このはがき付きチラシ１は、図１，２に示すように、はがき部３が貼り付けられる台紙領域２１と、その台紙領域２１に貼り付けられるはがき部３と、はがき部３の周囲の台紙領域２１を覆う窓枠部４とを主に備えている。
【００１６】
この台紙領域２１とはがき部３と窓枠部４とは１枚の紙本体２に形成される。また、本実施の形態で説明するはがき付きチラシ１には、台紙領域２１に隣接して情報表示領域２２，２３が設けられる。
【００１７】
紙本体２は、長方形に形成された１枚の紙片であって、両面に図や文字情報などの印刷が施される。紙本体２には、例えば６０〜７０ｇ／ｍ２程度の上質紙などが使用できる。
【００１８】
また、はがき付きチラシ１は、紙本体２を折目２ａ，２ｂで折り曲げることで完成する。ここで、図１には紙本体２の表面（第１面）が現れており、図２には紙本体２の裏面（第２面）が現れている。そして、はがき部３の通信面３ａは、紙本体２の表面への印刷によるものである。また、はがき部３の宛名面３ｂは、紙本体２の裏面への印刷によるものである。
【００１９】
はがき部３は、例えば第一種郵便物の定形郵便物に該当する長方形に成形される。定形郵便物の最小形状は、長辺が１４ｃｍで短辺が９ｃｍであり、最大形状は長辺が２３．５ｃｍで短辺が１２ｃｍで厚さが１ｃｍである。なお、重さは５０ｇ以下であればよく、下限値の制限はない。
【００２０】
そして、図１の右端に示すように、はがき部３の周囲には、平面視略ロ字状の窓枠部４が形成される。要するに、長方形の紙の中央に長方形のはがき部３を設けた場合に、その紙の残りが窓枠部４となる。
【００２１】
一方、台紙領域２１は、少なくともはがき部３と窓枠部４とを合わせた大きさとなるように紙本体２に形成される。図１に示した台紙領域２１は、はがき部３と同じ形状のはがき用部２１ａと、窓枠部４と同じ形状の窓枠用部２１ｂとによって構成される。
【００２２】
そして、折目２ａで谷折りにして紙本体２を折り曲げると、はがき用部２１ａの上にはがき部３が重ねられ、窓枠用部２１ｂの上に窓枠部４が重ねられることになる。
【００２３】
さらに、台紙領域２１に隣接して情報表示領域２２，２３を設けることができる。この情報表示領域２２，２３には、はがき部３の利用方法や広告などの情報や図などを印刷しておくことができる。
【００２４】
また、図１に示すように、はがき部３の通信面３ａの外縁３１Ａ−３１Ｄから所定の距離以上内側に離れた箇所には、はがき部３と台紙領域２１のはがき用部２１ａとを接着させるはがき接着部５が設けられる。
【００２５】
接着剤を塗布することによって形成されるはがき接着部５は、はがき部３の上側の外縁３１Ａから距離Ｄ１だけ離れた箇所に形成される塗布部５ａと、右側の外縁３１Ｂから距離Ｄ２だけ離れた箇所に形成される塗布部５ｂと、左側の外縁３１Ｄから距離Ｄ３だけ離れた箇所に形成される塗布部５ｅと、塗布部５ｂ，５ｅ間にそれらに略平行に形成される塗布部５ｃ，５ｄとを有している。
【００２６】
ここで、塗布部５ｂ−５ｅの下端は、はがき部３の下側の外縁３１Ｃから上側の距離Ｄ１より広い距離Ｄ４だけ離れている。要するに距離Ｄ４＞距離Ｄ１となり、距離Ｄ３＞距離Ｄ２となっている。
【００２７】
この塗布部５ａ−５ｅに塗布される接着剤は、例えば剥離糊であって、一度剥がすと再び台紙領域２１に接着されることはなく、はがき部３の通信面３ａがべたつくこともない。
【００２８】
さらに、窓枠部４と台紙領域２１とを接着させる窓枠接着部６１Ａ−６１Ｆが、剥離糊などの接着剤を塗布することによって形成される。詳細には、窓枠部４の外縁に沿った周囲に窓枠接着部６１Ａ，６１Ｃ，６１Ｅが形成され、台紙領域２１の窓枠用部２１ｂの周囲には窓枠接着部６１Ｂ，６１Ｄ，６１Ｆが形成される。
【００２９】
また、情報表示領域２２，２３どうしを接着させるためにも、剥離糊などの接着剤が塗布された接着部６２，・・・が形成される。すなわち紙本体２を折目２ｂで折り曲げて、図２に示すように情報表示領域２２，２３どうしを重ね合わせたときに、双方は接着部６２，・・・によって接着される。
【００３０】
このように本実施の形態のはがき付きチラシ１は、はがき部３の外縁３１Ａ−３１Ｄ付近には剥離糊などの接着剤が塗布されず、台紙領域２１に接着されていない。このため、はがき部３の全周がカットされていると、はがき付きチラシ１を手に持った際に撓んではがき部３の外縁３１Ａ−３１Ｄが浮き上がると、はがき接着部５が端から剥がれてしまうおそれがある。
【００３１】
そこで、図２に示すように台紙領域２１に貼り付けられたはがき部３と窓枠部４との間には、点状にアンカット部４１Ａ−４１Ｆを残して切り込みが入れられる。ここで、窓枠部４のはがき部３に隣接する位置には、破線４ａを印刷しておき、そこに切取り線があることを明示しておくのが好ましい。
【００３２】
本実施の形態では、はがき部３の四隅がアンカット部４１Ａ−４１Ｄによって窓枠部４と繋がれ、はがき部３の長辺側のアンカット部４１Ａ，４１Ｂ間及びアンカット部４１Ｄ，４１Ｃ間が、長辺の略中央に位置するアンカット部４１Ｅ，４１Ｆによって窓枠部４と繋がれる。例えば１つのアンカット部４１Ａ（又は４１Ｂ−４１Ｆ）の長さは、０．８ｍｍ〜１．０ｍｍに設定する。
【００３３】
このアンカット部４１Ａ−４１Ｆは、窓枠部４を台紙領域２１から剥がした（離隔させた）際に、はがき部３だけがはがき接着部５の接着力によって台紙領域２１のはがき用部２１ａに残置される量に設定される。
【００３４】
このため、はがき接着部５の接着力や紙本体２の紙質などによって、適切な形態を選択することができる。図３には、３種類のアンカット部の変形例を示した。
【００３５】
まず、図３(ａ)は、はがき部３Ａの四隅のみにアンカット部４２Ａ−４２Ｄを設けた例である。はがき接着部５の接着力が弱い場合は、窓枠部４がはがき部３Ａから切り離されやすいようにアンカット部４２Ａ−４２Ｄの数（量）を少なくする。
【００３６】
これに対して図３(ｂ)は、はがき部３Ｂの四隅に加えて長辺及び短辺の中央にもアンカット部４３Ａ−４３Ｈを設けた例である。はがき接着部５の接着力が強い場合は、はがき付きチラシ１を手に持ったときにはがき部３Ｂが窓枠部４から浮き上がることがないように、アンカット部４３Ａ−４３Ｈの数（量）を多くすることができる。
【００３７】
さらに図３(ｃ)は、はがき部３Ｃの四隅を挟んだ位置と長辺の中央にアンカット部４４Ａ−４４Ｊを設けた例である。窓枠部４のはがき部３Ｃからの切り離しやすさと、手に持ったときのはがき部３Ｃの窓枠部４からの浮き上がりにくさとのバランスによっては、この様なアンカット部４４Ａ−４４Ｊの数（量）及び配置が良い場合がある。
【００３８】
次に、本実施の形態のはがき付きチラシ１の製作方法及び使用方法について説明する。
【００３９】
まず、ロール紙から紙本体２を引き出し、両面印刷機によって紙本体２の両面に印刷を行う。すなわち、図１に示した紙本体２の第１面には、はがき部３の通信面３ａ、窓枠部４の裏面、台紙領域２１及び情報表示領域２２の印刷を行う。
【００４０】
一方、紙本体２の第２面（図２参照）には、はがき部３の宛名面３ｂ、窓枠部４の表面及び情報表示領域２３の印刷を行う。要するに紙本体２に必要な印刷は、この工程ですべて行う。
【００４１】
印刷後には、複数のはがき付きチラシ１，・・・用の印刷がされた紙本体２，・・・をリワインダー装置によって巻き取り、オフライン加工機にセットする。そして、再び引き出された印刷済みの紙本体２の第１面に対して剥離糊を塗布することで、図１に示すような塗布部５ａ−５ｅ、窓枠接着部６１Ａ−６１Ｆ及び接着部６２，・・・が形成される。
【００４２】
続いて、紙本体２を折目２ａ，２ｂで谷折りに折り曲げて、はがき部３及び窓枠部４と台紙領域２１とを対峙させるとともに、情報表示領域２２，２３どうしを対峙させる。
【００４３】
そして、塗布部５ａ−５ｅ、窓枠接着部６１Ａ−６１Ｆ及び接着部６２，・・・を対峙する面にそれぞれ接着させることで、図２に示すような二重構造を形成する。
【００４４】
この折り重ねられた状態のまま、はがき部３と窓枠部４が形成された上層のみを切り取る工程に移行する。この工程では、アンカット部４１Ａ，４１Ｅ、４１Ｅ，４１Ｂ、４１Ｂ，４１Ｃ、４１Ｃ，４１Ｆ、４１Ｆ，４１Ｄ、４１Ｄ，４１Ａ間にのみ、それぞれダイカッタで切り込みを入れる。要するにアンカット部４１Ａ−４１Ｆは、切り込まれずに残った部分である。
【００４５】
このようにして製作されたシート状のはがき付きチラシ１は、新聞の折込み広告となって利用者に配布される。情報表示領域２３に印刷された情報などに関心を持った人は、さらに情報を収集するために、図２に示すようにはがき付きチラシ１の左側の情報表示領域２３を右下隅から捲り、情報表示領域２２を露出させる。
【００４６】
そして、情報表示領域２２，２３に印刷された文字や図などの情報によってはがきを送ろうと考えたり、さらに情報を得たいと考えたりした利用者は、情報表示領域２２の右側の窓枠部４を左下隅から捲ることになる。
【００４７】
すると、窓枠部４だけが捲れ上がってはがき部３は台紙領域２１に貼り付いたままとなるため、はがき部３が浮き出たようになって利用者はすぐに利用できるはがきが付いていることを強く意識するようになる。
【００４８】
次に、本実施の形態のはがき付きチラシ１の作用について説明する。
【００４９】
このように構成された本実施の形態のはがき付きチラシ１は、はがき部３の外縁３１Ａ−３１Ｄから所定の距離Ｄ１，Ｄ２以上内側に離れた箇所にはがき部３と台紙領域２１のはがき用部２１ａとを接着させるはがき接着部５の塗布部５ａ−５ｅが形成される。
【００５０】
このため、薄い紙一枚ではがき部３を形成しても、塗布部５ａ，５ｂ，５ｅから離れた外縁３１Ａ−３１Ｄ付近が波打つことがなく、容易に上層の一枚のみを切り抜いてはがき部３を形成することができる。
【００５１】
また、はがき部３とその周囲の窓枠部４とは、点状のアンカット部４１Ａ−４１Ｆによって繋がっている。このように点状のアンカット部４１Ａ−４１Ｆによってはがき部３と窓枠部４とが繋がっていれば、はがき付きチラシ１を手に持ったときに撓んでもはがき部３の外縁３１Ａ−３１Ｄが浮き上がらないので、配布時などの意図しない時機に外れてしまうこともなく、利用者の好きなときに容易にはがき部３を取り外すことができる。
【００５２】
そして、第一種郵便物の定形郵便物であれば、重さの下限値の制限がないため、本実施の形態のはがき部３のように薄い一枚の紙ではがきを作成することで、紙の材料費を削減することができる。また、紙の材料費だけでなく、二重に貼り合せるはがきと比べて接着剤の使用量も減らすことができる。
【００５３】
さらに、窓枠部４を台紙領域２１から剥がす際に、はがき部３だけがはがき接着部５の接着力によって台紙領域２１に残置される量にアンカット部４１Ａ−４１Ｆが設定されていれば、窓枠部４を捲るとはがき部３が飛び出すような感覚を利用者に与えることができる。
【００５４】
以上、図面を参照して、本考案の実施の形態を詳述してきたが、具体的な構成は、この実施の形態に限らず、本考案の要旨を逸脱しない程度の設計的変更は、本考案に含まれる。
【００５５】
例えば、前記実施の形態では、新聞の折込み広告としてはがき付きチラシ１を使用する場合について説明したが、これに限定されるものではない。例えば住戸の郵便受けに投函される広告、街頭や店頭で配布される広告、又は雑誌や本の綴込みなどに本発明のはがき付き印刷物を使用することができる。
【００５６】
また、前記実施の形態では、はがき接着部５をはがき部３の通信面３ａに設けたが、これに限定されるものではなく、台紙領域２１のはがき用部２１ａにはがき接着部を形成することができる。さらに、通信面３ａとはがき用部２１ａの両方に、はがき接着部を形成することもできる。
【符号の説明】
【００５７】
１              はがき付きチラシ（はがき付き印刷物）
２１            台紙領域
３，３Ａ−３Ｃ  はがき部
３１Ａ−３１Ｄ  外縁
４              窓枠部
４１Ａ−４１Ｆ  アンカット部
４２Ａ−４２Ｄ  アンカット部
４３Ａ−４３Ｈ  アンカット部
４４Ａ−４４Ｊ  アンカット部
５              はがき接着部
Ｄ１−Ｄ４      距離
【図１】
0003189818.tif 000003
【図２】
0003189818.tif 000004
【図３】
0003189818.tif 000005